(57)【要約】【課題】尿バッグへの取付けが効率がよく、尿バッグから外れることがないハンガー、逆流防止弁の取付けが極めて容易なチャンバー及び押圧しても痛い幅の厚みを有する板クランプを提供することにある。【課題を解決する手段】本発明の尿バッグは、本体と蓋体とからなるチャンバーを有し、該蓋体には、下部に設けられた接続口に逆流防止弁が設けられている。逆流防止弁は、断面船型形状の接続口に接続され、この船型７ａの端部には、２枚のシート片５ａ、５ｂの両端を溶着（５ｃ）した逆流防止弁５が接続されている。接続は、この逆流防止弁５をチャンバー蓋体２の下部に設けられた尿導入口７である舟型部７ａに挿入して溶着して取り付けられる。また持手ハンガーの一端は、開口され、これらの端部は互いに対向した上部と下部とからなると共に、該端部は、フック機構を有している。更に板クランプは、両端面が凹形状でかつ厚みが厚く形成されている。【選択図】  図３
2005137569.tif 000002
【特許請求の範囲】
【請求項１】
持手ハンガー及びチャンバーを有する尿バッグにおいて、前記チャンバーは、チャンバー本体と蓋体とからなり、これら開口部の周囲にはそれぞれフランジを有し、該本体のフランジの下部には、２個の角状体が下方向に伸びており、かつ該本体の上面には尿流入口及びエアー抜きフィルターを有し、また蓋体には中央部にエアー抜きフィルター乃至２０〜５００μｍの微細孔を数十個〜数個を有するエアー抜き孔を有すると共に、下部に設けられた接続口に逆流防止弁が設けられており、これら本体と蓋体は、蓋体がバッグの内側に配置されるように尿バッグのチャンバー設置口に取り付けられていることを特徴とする尿バッグ。
【請求項２】
前記接続口の形状は、断面船型形状であることを特徴とする請求項１に記載の尿バッグ。
【請求項３】
前記持手ハンガーは、バッグ吊り下げ部とチューブ保持部及び紐を通すことができる２つの孔及び吊りベルト用孔を有するハンガーを備え、該ハンガーの一端部は開放され、互いに対向した上部と下部からなり、該上部には雄型突起をまた下部には雌型凹部を対向して有し、これらは互いに係合し得ることを特徴とする請求項１又は請求項２に記載の尿バッグ。
【請求項４】
一端の幅が広く、他端の幅が狭い楕円形状孔を有する板クランプにおいて、該板クランプの両端の側面の厚みが厚く形成されていることを特徴とする板クランプ。
【発明の詳細な説明】
【技術分野】
【０００１】
本発明は、医療機器の技術分野に関し、更に詳しくは、尿道留置カテーテル等から排出される尿を採取したり、手術等において、患者の経過状態の管理のために用いられる尿バッグの技術分野に関するものでる。
【背景技術】
【０００２】
従来、重傷患者の排尿や患者の全身状態の把握のために尿を採取するが、通常、このような使用目的に尿バッグが使用されている。従来、このような尿バッグは、ベッドの下側部等に取り付けるために、尿バッグの上端部に紐が取り付けられている（例えば、特許文献１参照）。また尿バッグは、袋体（二枚の樹脂シートを互いに重ね合わせ、その周囲を溶着してある。）の上部に把手が設けられ、また袋の表面には尿道チューブが連結されたチャンバーや目盛りを有し、更に下部に排尿チューブを有する尿バッグが知られている（例えば、特許文献２参照）。
【特許文献１】特開平９−１６８５５６号公報（段落０００３、図１参照）
【特許文献２】特開平９−２０１４１１号公報（段落０００２〜０００４、図１参照）
【発明の開示】
【発明が解決しようとする課題】
【０００３】
しかしながら、特許文献１、特許文献２に記載の尿バッグは、ハンガー（以下、把手とも称する。）を取り付けるとき、シートの上下間にハンガーをセットしてウェルダー溶着することによって製造されているので、取付け方に難点があり製造上効率が悪いという問題がある。そこで、本発明者等は、上記の問題点等について種々検討したところ、特許文献１等に記載されるようにハンガーをウェルダー溶着時にシートとハンガーを同時にセットして溶着を行うのではなく、本発明では、尿バッグの袋体を製造した後、その上部にあるハンガー取下げ部に設けられた孔にハンガーの支持部を差し込んで取り付けるようにしたので、後工程においてワンタッチで取付けが可能な構造となり、効率よく、簡単に取り付けられ、しかも一度取り付けられると、取り外し不可能な構造としたので、尿バッグから外れることがなく安全かつ安心して使用ができる尿バッグを見出した。
【０００４】
一方、尿バッグには、特許文献１や特許文献２に示される如く、チャンバーを有し、尿は、尿道カテーテル導尿管からこのチャンバーを介して尿バッグへ導入されるが、エアー抜きフィルターは、袋体の上シートにセットされいるので、これらのチャンバーには、フィルターが取り付けられていないばかりか、チャンバーの蓋も設けられていない。そこで、本発明者等は、逆流防止弁を用い、この尿道入口に設けられた舟型部に挿入して溶着して取り付けることにより、逆流防止弁の取付けが極めて容易であり、量産が可能であるばかりでなく、逆流防止弁としての効果も極めて優れていることを見出した。更に尿バッグの下部に取り付けられている排尿チューブに板クランプを取り付けるが、この板クランプは、薄い板の内部に一端の幅が広く、他端の幅が狭い楕円形状孔を有し、この孔に前記排尿チューブを差し込んで幅の狭い方に該チューブを移行して排尿を止める構造となっているが、この際、手の指の内側で板クランプの一方の側面を押さえ、かつ孔の幅の狭い方へチューブを引き寄せることによってチューブを閉めると、板クランプの側面の幅が薄いので、使用者は、使用しずらく手の指が痛いという問題があった。そこで、本発明者等は、板クランプの長手方向の両側面の形状を幅を広くしたところ、手の指の内側の当り具合がよく痛くないこと及びチューブ接触面積を最小限に小さくすることで板クランプをスライドさせる際に、加える力を少なくすることができることを見出した。
【０００５】
したがって、本発明が解決しようとする第１の課題は、ハンガーの尿バッグへの取付けが極めて簡単にでき、効率がよく、しかも一度取り付けられると、取り外し不可能であって、尿バッグから外れることがなく安全かつ安心して使用ができる尿バッグを提供することにある。また本発明が解決しようとする第２の課題は、逆流防止弁の取付けが極めて容易で、量産が可能で、しかも逆流防止弁としての効果も極めて優れている尿バッグを提供することにある。更に本発明が解決しようとする第３の課題は、板クランプの長手方向の両側面に手の指の内側を当てて押圧しても痛くなく、また使用し易い幅の厚みを有する板クランプを提供することにある。
【課題を解決するための手段】
【０００６】
本発明の上記課題は、以下の各発明によってそれぞれ達成される。
（１）持手ハンガー及びチャンバーを有する尿バッグにおいて、前記チャンバーは、チャンバー本体と蓋体とからなり、これら開口部の周囲にはそれぞれフランジを有し、該本体のフランジの下部には、２個の角状体が下方向に伸びており、かつ該本体の上面には尿流入口及びエアー抜きフィルターを有し、また蓋体には中央部にエアー抜きフィルター乃至２０〜５００μｍの微細孔を数十個〜数個を有するエアー抜き孔を有すると共に、下部に設けられた接続口に逆流防止弁が設けられており、これら本体と蓋体は、蓋体がバッグの内側に配置されるように尿バッグのチャンバー設置口に取り付けられていることを特徴とする尿バッグ。
（２）前記接続口の形状は、断面船型形状であることを特徴とする前記第１項に記載の尿バッグ。
（３）前記持手ハンガーは、バッグ吊り下げ部とチューブ保持部及び紐を通すことができる２つの孔及び吊りベルト用孔を有するハンガーを備え、該ハンガーの一端部は開放され、互いに対向した上部と下部からなり、該上部には雄型突起をまた下部には雌型凹部を対向して有し、これらは互いに係合し得ることを特徴とする前記第１項又は第２項に記載の尿バッグ。
（４）一端の幅が広く、他端の幅が狭い楕円形状孔を有する板クランプにおいて、該板クランプの両端の側面の厚みが厚く形成されていることを特徴とする板クランプ。
【発明の効果】
【０００７】
本発明の持手ハンガー及びチャンバーを有する尿バッグにおいて、前記チャンバーは、チャンバー本体と蓋体とからなり、これら開口部の周囲にはそれぞれフランジを有し、該本体のフランジの下部には、２個の角状体が下方向に伸びており、かつ該本体の上面には尿流入口及びエアー抜きフィルターを有し、また蓋体には中央部にエアー抜きフィルター乃至２０〜５００μｍの微細孔を数十個〜数個を有するエアー抜き孔を有すると共に、下部に設けられた接続口に逆流防止弁が設けられており、これら本体と蓋体は、蓋体がバッグの内側に配置されるように尿バッグのチャンバー設置口に取り付けられていることにより、逆流防止弁の取付けが極めて容易で、かつチャンバーに尿流入口やエアー抜きフィルター及び蓋体にエアー抜きフィルター乃至２０〜５００μｍの微細孔を数十個〜数個を有するエアー抜き孔を有するので、量産が可能で、しかも逆流防止弁としての効果も極めて優れている。更に角状体がフランジの下部の両端に設けられ、かつ下方に向かって伸びていることにより、尿バッグの壁同士の密着を防ぐことができる。また尿導入口である逆流防止弁の接続口の形状が、断面船型形状であることにより、逆流防止弁の二枚のフィルムがよりよく密着して優れた逆流防止効果を発揮させるためである。更に持手ハンガーは、バッグ吊り下げ部とチューブ保持部及び紐を通すことができる２つの孔及び吊りベルト用孔を有するハンガーを備え、該ハンガーの一端部は開放され、互いに対向した上部と下部からなり、該上部には雄型突起をまた下部には雌型凹部を対向して有し、これらは互いに係合し得ることにより、尿バッグへの取付けが容易であると共に、取付けた後は、取り外し不可能であって、尿バッグから外れることがなく安全かつ安心して使用することができるという優れた効果を奏するものである。本発明に用いられる板クランプの長手方向の両端の側面の厚みが厚く形成されていることにより、使用しやすく両端面に手の指の内側を当てて押圧しても痛くないという優れた効果を奏するものである。
【発明を実施するための最良の形態】
【０００８】
以下に、本発明を実施するための最良の形態を図面を用いて説明するが、本発明は、これらのものに限定されるものではない。
【０００９】
図１は、本発明のチャンバー本体及びチャンバー蓋を示す斜視図である。図２は、本発明のチャンバー本体及びチャンバー蓋を蓋側から見た斜視図である。図３は、本発明のチャンバー本体及びチャンバー蓋を尿バッグに取り付けたところを示す略側面図である。図４のａは、本発明のチャンバーの蓋の別の形状を示す正面図である。図４のｂは、本発明のチャンバーの蓋を下部から見たところを示す底面図である。図４のｃは、ａの側面図である。図４のｄは、尿導入口に取り付けられた逆流防止弁を示す部分斜視図である。
【００１０】
図１乃至図４において、本発明に用いられるチャンバーは、チャンバー本体１とその蓋２とからなっている。これらは射出成形によって作られ、チャンバー本体１とその蓋２の開口部の周囲にはフランジ１１、２１を有しいる。これらフランジ１１、２１は重ね合わされ、かつ袋体壁と共に溶着されている。この際、本体側と蓋体側とは、連通していることは言うまでもない。具体的には、図３に示される如く、尿バッグ８は上シートと下シートの周囲を溶着して袋体を形成されるが、この上シートの適宜の箇所にチャンバー本体１又は蓋体２の開口部の径と同じか又は小さい径の孔（又は開口部）を設け、この孔の周囲がこれらのフランジ１１の外側面に溶着される。チャンバー本体１には、上部に尿流入口３とエアー抜きフィルター４を有し、尿流入口３から尿が流入し、その際、該流入を容易にするためにエアー抜きフィルター４によって尿バッグ内部に存在する空気が抜かれる。また本体１には、その開口部を有し、この開口部の周囲にフランジ１１を有している。その下部に角状体１２が下方に向かって伸びており、これによって尿バッグ８の壁（上シートと下シート）同士が密着するのを防止している。一方、蓋体２には、その下部に尿導入口７を有し、該尿導入口７の形状は、図４に示されるように、船型７ａを有しており、この船型７ａの端部には、２枚のシート片５ａ、５ｂの両端を溶着（５ｃ）した逆流防止弁５が接続されている（図４のｄ）。接続は、この逆流防止弁５をチャンバー蓋体２の下部に設けられた尿導入口７である舟型部７ａに挿入して溶着して取り付けられる。これにより逆流防止弁５の二枚のフィルム５ａ及び５ｂがよりよく密着して優れた逆流防止効果を十分発揮する。更に本発明では、図２に示されるように、上記蓋体２には、エアー抜きフィルター６を設けており、これにより尿導入口７から尿バッグ８へ尿が流入する際、尿の流入を容易にすることができる。ここで本発明に用いられるエアー抜きフィルターにおいて、本体に有するエアー抜きフィルター４は、直径５ｍｍ程度の孔を設け、その孔に疎水性フィルター（例えば、メンブレンフィルター）を溶着したものである。この際、エアー抜きフィルター６は、蓋体２の表面に例えば、円形凹部２ｂを形成し、その中央部に孔を設けることにより形成される。また図２とは別に、図４のａ又はｃに示される如く、エアー抜きフィルター６は、蓋体２の表面に例えば、円形凸部２ｃが形成され、その中央部に孔を設けることにより形成してもよい。更に蓋体に設けられるエアー抜きフィルター６の構造は、直径５ｍｍ程度の孔を設け、その孔に疎水性フィルター（例えば、メンブレンフィルター）を溶着したものか、又は２０〜５００μｍの微細孔を数十個〜数個を有するエアー抜き孔を有するものだけで構成され、メンブレンフィルターは使用しないものからなる。更に具体的にはこのエアー抜き孔の数は、６０〜６個の孔を有するのが好ましい。例えば、直径２０μｍの孔の場合には、６０個が好ましく、また直径５００μｍの孔の場合には、６個が好ましい。上記微細孔の穿孔には、レーザーを用いることが好ましい。
【００１１】
図５は、本発明に用いられる尿バッグに取り付けられる持手ハンガーを示す正面図である。図５において、持手ハンガー９は、取っ手９０とバッグの吊り下げ部又は差し込み部材９３からなり、該ハンガー９の一端は、開口され、これらの端部９１は互いに対向した上部９１ａと下部９１ｂとからなると共に、該端部９１は、フック機構を有している。このフック機構は、前記端部９１の上部９１ａに雄型突起９２ａが下方へ向かって有し、また端部９１の下部９１ｂには雌型凹部９２ｂを上部９１ａに対向して有し、これらは互いに係合し得る構造となっている。この雄型突起９２ａは、図５のｂに示されるように、矢印型をしており、また下部９１ｂの雌型凹部９２ｂは、孔の周囲にフランジを有し、小径の孔が形成されているので、一度、下部９１ｂの雌型凹部９２ｂに係合すると、取り外すことができない。したがって、尿バッグ８の孔２５に持手ハンガー９のバッグ吊り下げ部材９３を通した後、嘴状形状部９１の上部９１ａと下部９１ｂとを係合すると、十分に固定され、外れることがなく、安全かつ安心して取り扱うことができるという優れた効果を奏するものである。またこの持手ハンガー９には、チューブ保持部９４を有しており、導尿チューブを保持することができる。この例では、端部９１の上部９１ａと下部９１ｂに一対の雄型突起９２ａと雌型凹部９２ｂを有するものについて説明したが、本発明は、この例に限定されるものではなく、上部９１ａと下部９１ｂに二対乃至三対の雄型突起９２ａと雌型凹部９２ｂを有するものであってもよい。図６は、排尿チューブに使用される板クランプを示す図面であり、図６のａは、その平面図であり、図６のｂは、そのＸ−Ｘ′線の断面図であり、更に図６のｃは、そのＹ−Ｙ′線の断面図であり、図６のｄは、長手方向の両端部の側面図である。図６において、板クランプ２４は、該クランプ２４の両端部の側面は、指の接触部であって、凹形状となっていると共に、該板クランプ２４の両端面の厚みが厚く形成されている。この板クランプ２４の内部に、一端の幅が広く、他端の幅が狭い楕円形状孔１９を有している。また前記楕円形状輪１９は、該孔内に長手方向の中心線に対称に細長い突起状締付部１７ａ、１７ｂからなる狭窄部２０を形成している。板クランプは、この楕円形状孔１９に排尿チューブ１３を通すことによりセットされ、該チューブ内の尿の流通を阻止する場合には、前記狭窄部２０へ排尿チューブ１３を手で移行してチューブを閉塞する。また逆に幅の広い端部へ排尿チューブ１３を誘導することにより排尿チューブ１３の閉塞が解除され尿が流通する。この際、親指が板クランプ２４の長手方向の一端側面２２を押すが、板クランプの両端部の側面２２、２３は、接触部が凹形状となっていると共に、該板クランプの両端面の厚みが厚く形成されていることにより、前述の如く排尿チューブ１３を狭窄部２０へ手で移行する際、使用し易く親指が板クランプ２４の長手方向の一端側面２２又は２３を押しても、全く痛くなく、また簡単かつ容易に動作することができる。即ち、チューブと楕円形状孔１９の内面との接触面積を、細長い突起状締付部１７ａ、１７ｂを設けることによって最小限に小さくすることができ、その結果板クランプをスライドさせる際に、加える力を少なくすることができる。
【００１２】
図７は、本発明の尿バッグを示す平面図である。図７において、尿バッグ８は、上部に持手ハンガー９が取付け孔２５を通して取り付けられており、またチャンバーＩが尿バッグ８の上方の中央部に有している。またこのチャンバーＩには、尿流入口３及びエアー抜きフィルター４を有し、該尿流入口３には、導尿チューブ１４が取り付けられ、導尿チューブ１４の先端には採尿付コネクター及びコネクターキャップ１４ａを有する。尿バッグ８の下部には、排尿チューブ１３を有し、その先端から尿が排出される。この排尿チューブ１３の適宜の場所に板クランプ２４を設置し、この板クランプ２４により、該チューブ１３から尿を排出したり、尿の排出を止めたりする。更に尿バッグ８の表面には、概略目盛り１５及び１６が設けられており、概略目盛り１６では、少量の尿を計測することができる。本発明の尿バッグは、上記の如きチャンバー構造を有することにより、尿導入口７である舟型部７ａに逆流防止弁５を挿入して取り付けるが、この取付けが極めて容易に行え、特に溶着が容易である。またこのように舟型部７ａに逆流防止弁５を取り付けたことにより逆流防止弁５の二枚のフィルム５ａ及び５ｂがよりよく密着して優れた逆流防止効果を十分発揮する。また持手ハンガー９が前述した如き構造を有することにより、取付けが簡単であるばかりでなく、取付け後の脱落等の危険がなく極めて安全であるという優れた効果を奏するものである。更には板クランプ２４の構造を、前述のごとく構成したことにより、使用に際して、排尿チューブの閉塞が容易でかつ閉塞動作に対して全く手が痛くなることがないという優れた効果を奏するものである。
【産業上の利用可能性】
【００１３】
本発明の尿バッグは、医療機器の分野、特に手術中、手術後の尿の採取、重症患者の尿の貯留及びその管理に利用される。また尿バッグに取り付けられているチャンバー及び逆流防止弁は、流体の技術分野における弁機構としての使用も可能である。
【図面の簡単な説明】
【００１４】
【図１】本発明のチャンバーを示す斜視図である。
【図２】本発明のチャンバーを蓋側から見た斜視図である。
【図３】本発明のチャンバーを尿バッグに取り付けたところを示す略側面図である。
【図４】ａは、本発明のチャンバーの蓋の別の形状を示す正面図である。ｂは、本発明のチャンバーの蓋を下部から見たところを示す底面図である。ｃは、ａの側面図である。ｄは、尿導入口に取り付けられた逆流防止弁を示す部分斜視図である。
【図５】本発明に用いられる尿バッグに取り付けられる持手ハンガーで、ａは平面図であり、ｂはｚ−ｚ′線での断面図である。
【図６】本発明の板クランプにおいて、ａは、その平面図であり、ｂは、そのＸ−Ｘ′線での断面図であり、更にｃは、そのＹ−Ｙ′線での断面図であり、ｄは、長手方向の両端部の側面図である。
【図７】本発明の尿バッグを示す平面図である。
【符号の説明】
【００１５】
１  チャンバー本体                  １４ａ  コネクターキャップ
２  チャンバー蓋体                  １５、１６  概略目盛
２ａ  蓋体表面                      １７ａ、１７ｂ  突起状閉め付け部
２ｂ  表面凹部                      １９  楕円形状孔
２ｃ  表面凸部                      ２０  狭窄部
３  尿流入口                        ２２、２３  端側面
４、６  エアー抜きフィルター        ２５  吊下用孔（バッグ袋体用）
５  逆流防止弁                      ９０  取っ手
５ａ、５ｂ  フィルム                ９１  端部
５ｃ  フィルム溶着部                ９１ａ  上部
７  尿導入口                        ９１ｂ  下部
７ａ  船型                          ９２ａ  雄型突起
８  尿バッグ                        ９２ｂ  雌型突起
９  持手ハンガー                    ９３  バッグ袋体用の吊り下げ部
１１、２１  フランジ                ９４  チューブ保持部
１２  角状体                        ９５  吊りベルト用溝孔
１３  排尿チューブ                  ９６  紐孔
１４  導尿チューブ                  ９７  吊りベルト
【図１】
2005137569.tif 000003
【図２】
2005137569.tif 000004
【図３】
2005137569.tif 000005
【図４】
2005137569.tif 000006
【図５】
2005137569.tif 000007
【図６】
2005137569.tif 000008
【図７】
2005137569.tif 000009
【手続補正書】
【提出日】平成15年12月10日(2003.12.10)
【手続補正１】
【補正対象書類名】明細書
【補正対象項目名】００１０
【補正方法】変更
【補正の内容】
【００１０】
図１乃至図４において、本発明に用いられるチャンバーは、チャンバー本体１とその蓋２とからなっている。これらは射出成形によって作られ、チャンバー本体１とその蓋２の開口部の周囲にはフランジ１１、２１を有しいる。これらフランジ１１、２１は重ね合わされ、かつ袋体壁と共に溶着されている。この際、本体側と蓋体側とは、連通していることは言うまでもない。具体的には、図３に示される如く、尿バッグ８は上シートと下シートの周囲を溶着して袋体を形成されるが、この上シートの適宜の箇所にチャンバー本体１又は蓋体２の開口部の径と同じか又は小さい径の孔（又は開口部）を設け、この孔の周囲がこれらのフランジ１１の外側面に溶着される。チャンバー本体１には、上部に尿流入口３とエアー抜きフィルター４を有し、尿流入口３から尿が流入し、その際、該流入を容易にするためにエアー抜きフィルター４によって尿バッグ内部に存在する空気が抜かれる。また本体１には、その開口部を有し、この開口部の周囲にフランジ１１を有している。その下部に角状体１２が下方に向かって伸びており、これによって尿バッグ８の壁（上シートと下シート）同士が密着するのを防止している。一方、蓋体２には、その下部に尿導入口７を有し、該尿導入口７の形状は、図４のｂに示されるように、Ａ‐Ｂ間の一点鎖線で切断された部分で、船型７ａを有しており、この船型７ａの端部には、２枚のシート片５ａ、５ｂの両端を溶着（５ｃ）した逆流防止弁５が接続されている（図４のｄ）。接続は、この逆流防止弁５をチャンバー蓋体２の下部に設けられた尿導入口７である舟型部７ａに挿入して溶着して取り付けられる。これにより逆流防止弁５の二枚のフィルム５ａ及び５ｂがよりよく密着して優れた逆流防止効果を十分発揮する。更に本発明では、図２に示されるように、上記蓋体２には、エアー抜きフィルター６を設けており、これにより尿導入口７から尿バッグ８へ尿が流入する際、尿の流入を容易にすることができる。ここで本発明に用いられるエアー抜きフィルターにおいて、本体に有するエアー抜きフィルター４は、直径５ｍｍ程度の孔を設け、その孔に疎水性フィルター（例えば、メンブレンフィルター）を溶着したものである。この際、エアー抜きフィルター６は、蓋体２の表面に例えば、円形凹部２ｂを形成し、その中央部に孔を設けることにより形成される。また図２とは別に、図４のａ又はｃに示される如く、エアー抜きフィルター６は、蓋体２の表面に例えば、円形凸部２ｃが形成され、その中央部に孔を設けることにより形成してもよい。更に蓋体に設けられるエアー抜きフィルター６の構造は、直径５ｍｍ程度の孔を設け、その孔に疎水性フィルター（例えば、メンブレンフィルター）を溶着したものか、又は２０〜５００μｍの微細孔を数十個〜数個を有するエアー抜き孔を有するものだけで構成され、メンブレンフィルターは使用しないものからなる。更に具体的にはこのエアー抜き孔の数は、６０〜６個の孔を有するのが好ましい。例えば、直径２０μｍの孔の場合には、６０個が好ましく、また直径５００μｍの孔の場合には、６個が好ましい。上記微細孔の穿孔には、レーザーを用いることが好ましい。
【手続補正２】
【補正対象書類名】図面
【補正対象項目名】図３
【補正方法】変更
【補正の内容】
【図３】
2005137569.tif 000010
【手続補正３】
【補正対象書類名】図面
【補正対象項目名】図５
【補正方法】変更
【補正の内容】
【図５】
2005137569.tif 000011